(57)【特許請求の範囲】
【請求項１】
原子力発電所内で呼吸用保護具として使用されている防護マスクに付着した放射能の除去及び一般汚れの洗浄において、駆動シャフト(８)によって回転可能で、半面防護マスク(ａ)を支持する複数個のマスク固定枠（10，10′）を備えた洗浄かご(７)を備えた除染・洗浄部(１)を有し、該除染・洗浄部(１)に高圧のスプレ−ノズル(５)と、乾燥と消毒水噴霧用のエア−ノズル(５′)が装着され、かつ装置内の汚染雰囲気の装置外への漏洩を防ぐ排気装置を設けた原子力発電所で使用する防護マスクの除染・洗浄装置。
【請求項２】
高圧ポンプの駆動電力及び圧縮空気供給電力を同一供給源より送るようにした全面防護マスク除染・洗浄部(１′)を有した請求項１の原子力発電所で使用する防護マスクの除染・洗浄装置。
【請求項３】
除染・洗浄部(１)内に設けた洗浄かご(７)は駆動シャフト(８)の下端に固着したマスク固定枠取付円板(11)と、該マスク固定枠取付円板(11)に等配されたマスク固定枠(10)よりなり、除染・洗浄部(１)へのマスク(ａ)の出し入れは覗き窓付ドア(２)を開閉することにより行うようにした請求項１の原子力発電所で使用する防護マスクの除染・洗浄装置。
【請求項４】
洗浄かご(７)にマスク引掛部の高いマスク固定枠(10)とマスク引掛部の低いマスク固定枠(10′)とを交互に配設した請求項３の原子力発電所で使用する防護マスクの除染・洗浄装置。
【請求項５】
覗き窓付ドア(２)の底部にドアの取付側に傾斜する雫受け(３)を設けた請求項３の原子力発電所で使用する防護マスクの除染・洗浄装置。
【発明の詳細な説明】
【０００１】
【発明の属する技術分野】
本発明は、原子力発電所で呼吸用保護具として使用される防護マスク（全面マスク又は半面マスク）の放射能の除去並びに一般の汚れを洗浄する除染・洗浄装置に関するものである。
【０００２】
【従来の技術】
原子力発電所内で発生する使用済みの防護マスクは、これまで人手で一つ宛除染・洗浄を行っていた。
また、一般産業用の洗浄装置は存在するが、この種の洗浄装置では防護マスクを構成するゴム材を含む部分を洗浄でき、かつマスクの狭隘部まで十分に洗浄できる装置がなかった。
【０００３】
【発明が解決しようとする課題】
そこで防護マスクの除染を自動化し、作業労力の低減を図ること、及び防護マスクのようなゴム材を含むマスクの狭隘部まで十分に洗浄できる装置を提供することを課題とするものである。
【０００４】
【課題を解決するための手段】
原子力発電所内で呼吸用保護具として使用されている防護マスクに付着した放射能の除去及び一般汚れの洗浄において、駆動シャフト８によって回転可能で、半面防護マスクａを支持する複数個のマスク固定枠１０，１０′を備えた洗浄かご７を備えた除染・洗浄部１を有し、該除染・洗浄部１に高圧のスプレ−ノズル５と、乾燥と消毒水噴霧用のエア−ノズル５′が装着され、かつ装置内の汚染雰囲気の装置外への漏洩を防ぐ排気装置を設けた。
高圧ポンプの駆動、電力及び圧縮空気供給電力を同一供給源より送るようにした全面防護マスク除染・洗浄部１′を設けた。
除染・洗浄部１内に設けた洗浄かご７は駆動シャフト８の下端に固着したマスク固定枠取付円板１１と、該マスク固定枠取付円板１１に等配されたマスク固定枠１０よりなり、除染・洗浄部１へのマスクａの出し入れは覗き窓付ドア２を開閉することにより行うようにした。
洗浄かご７にマスク引掛部の高いマスク固定枠１０とマスク引掛部の低いマスク固定枠１０′とを交互に配設した。
覗き窓付ドア２の底部にドアの取付側に傾斜する雫受け３を設けた。
【０００５】
【発明の実施の形態】
本発明を要約すると、原子力発電所内で使用される半面マスク又は全面マスクの放射能の除染並びに一般汚れの洗浄において、洗浄系に高圧ポンプを用いたジェットスプレ−洗浄を使用し、洗浄後に水切り用のエア−ブロ−を使用し、エア−ブロ−で乾燥した後に消毒用噴霧機で消毒し、装置内の汚染雰囲気を排出する排気装置から構成される。
【０００６】
図に基いて説明する。図１は除染装置の正面図、図２はポンプ洗浄かごの部分の上面図、図３は駆動系の上面図、そして図４は側面図である。図５は除染装置内での防護マスクの支持かごによる支持状態を示す。図６は防護マスクの支持かごの上面図、図７は同じく側面図である。図８は一つの支持かごの詳細図、図９は装置内の雫受け関係の詳細図である。
【０００７】
さて、図中１は除染・洗浄部である。こゝで防護マスクを除染・洗浄し、除染・洗浄後に水切りをし、しかるのち、消毒用噴霧装置で消毒し、エアブロ−して乾燥する。乾燥用のエア−は排気ファンで排気される。除染・洗浄部１はステンレス製で、内部に多数の防護マスクを支持する洗浄かごが存在している。なお図では除染・洗浄部１は半面マスク用の除染部で、これに隣接して全面マスク用の除染・洗浄部１′が必要に応じ追加される。
【０００８】
ステンレス製の除染・洗浄部１の前面には、マスクａを出し入れする覗き窓付きの大型のドア２がヒンジで開放可能に設けられている。このドア２には、ドアの内側に付着した汚染水滴が、ドアを開けた際に床などに飛散するのを防止する樋状の雫受け３を有している（図９）。ドア２の内面に付着した汚染水滴はドア２を開けると、下部に固定されている雫受け３に落下し回収される。この雫受け３は、ドアに固定されているので、ドア２の開閉角度に関わらず確実に落下する雫を受けることが出来る。
【０００９】
また、除染・洗浄系は、高圧の洗浄水ポンプ４により発生される高圧水をスプレ−ノズル５からマスクａに向って噴射させる。この洗浄水ポンプ４は、図の例では半面マスク除染・洗浄部と全面マスク除染・洗浄部の中間部に設置されている（図２）。また、その圧力は、マスクａを損傷させず、かつ除染・洗浄力が最も得られる圧力を発生させている。除染・洗浄水は、タンク６に貯められ循環使用される。
一方、マスクａを固定する専用の洗浄かご７（図４，図６）は、上部より駆動シャフト８を介して接続されているモ−タ−９により回転する。洗浄かご７のマスク固定枠１０は、マスクａの形状に合わせた形状を有し、上部から片手でマスクの出し入れができるようになっている。マスクａの装着状態を図５に示す。
【００１０】
図６を参照して洗浄かご７を構成する個々のマスク固定枠１０について説明する。洗浄かご７は通常１２個のマスク固定枠１０で構成されている。即ち１２個の場合３０°に１個宛とりつけられている。マスク固定枠１０は一つ置きに高さの高低がついている。図７の右側が高さの高い方のマスク固定枠１０、左側の方が低いマスク固定枠１０′である。マスク固定枠１０は図８に示す形状をなし、ステンレス製の丸棒を材料としている。マスク固定枠１０は取付円板１１への固定部１０ａに連続する上部水平部１０ｂと、上部水平部１０ｂに続く垂直支持部１０ｃと、垂直支持部１０ｃの下部から水平に折曲げられた下部水平部１０ｄと、下部水平部１０ｄの端から上方に稍拡開して立上る立上り部１０ｅと、立上り部１０ｅの上部を継ぐ中間水平部１０ｆとからなっている。前記マスク固定枠１０の高い方、低い方の差は、垂直支持部１０ｃの長さの相違のみである。さてこのような高い固定枠１０と低い固定枠１０′が一つ置きに取付円板１１の周縁に取付けられ、垂直支持部１０ｃの中間部を支持リング１２で保持している。
【００１１】
エア−ブロ−用スイッチ１３（図１）で操作されるエアブロ−装置は、エア−の増幅機能を有しており、圧縮エア−をマスクに噴射した後、除染・洗浄部内側面にも吹き付けられるようになっている。
さらに、消毒用スプレ−は、消毒エア−用スイッチ１４（図１）の操作によって圧縮エア−を動力とし、消毒液タンク１５内の消毒用エタノ−ルを対象マスクａに一様に霧状に吹き付けるようになっている。
そして、除染・洗浄空間は、排気用ファン１６により負圧に保たれ、ドア２の開閉時も内部の汚染された雰囲気が外に漏洩しないようになっている。
【００１２】
図９はドア２の下部に一体に設けた雫受け３を示す。ドア２はヒンジ２ｂで支持され、ハンドル２ａを持って手前に引くと開放できる。ドア２の下部には図９(ｃ)の如くヒンジ２ｂ側に傾いた雫受け３を備えドア２を開けたとき、ドア２の内壁から落下する液をこれで受け、配管（図示しない）を介しタンク６に排出するようになっている。
【００１３】
（作動）
１）ドア２を前方にあけて、防護マスクａを洗浄かご７のマスク固定枠１０に掛ける。
２）ドア２を閉める。
３）モ−タ−９で始動して洗浄かご７を回転すると同時に、洗浄水ポンプ４を駆動して洗浄水をスプレ−ノズル５からスプレ−し、上下の固定枠１０，１０′に掛けられたマスクａを洗浄する。
４）所定時間後エア−ブロ−用スイッチ１３を操作して乾燥させる。
５）乾燥したマスクａを消毒エア−用スイッチ１４を操作してエア−ノズルから噴霧して消毒する。
６）完了、ドア２を開けてマスクａを取出す。
【００１４】
【効果】
請求項１により、マスクの洗浄を自動化でき除染洗浄作業を安全かつ容易に行うことができる。
請求項２により、駆動用電力を同一供給源で供給できるようにしたので、装置のコンパクト化を図ることができる。
請求項３により、除染・洗浄部へのマスクａの出し入れはドアの開閉で容易に行うことができ、しかも洗浄部への装着はマスク固定枠へ引掛けるだけであるから作業が容易である。
請求項４により、マスク固定枠を１つ置きに高低をつけたので、これ又装置のコンパクト化を図ることができる。
請求項５により、覗き窓ドアの底部に設けた雫受けにより、ドア開放時にドアの内部に付着した洗浄汚染水が装置外に飛散することなく、ドアの下部からタンクにすべて還元することができる。
【図面の簡単な説明】
【図１】本発明装置の一例を示す正面図。
【図２】同じくポンプ，洗浄かごの上面図。
【図３】同じく駆動系の上面図。
【図４】洗浄かごの駆動系を示す。
【図５】洗浄かごへのマスクの固定状態を示す。
【図６】洗浄かごの一例を示す。
【図７】洗浄かごの側面図。
【図８】固定枠詳細図。
【図９】ドアの雫受けを示す。
【符号の説明】
ａ  マスク
１  除染・洗浄部                １′  除染・洗浄部
２  ドア                        2a  ハンドル
2b  ヒンジ                      ３  雫受け
４  洗浄水ポンプ                ５  スプレ−ノズル
５′  エア−ノズル              ６  タンク
７  洗浄かご                    ８  駆動シャフト
９  モ−タ−                    10，10′  マスク固定枠
10a  固定部                     10b  上部水平部
10c  垂直支持部                 10d  下部水平部
10e  立上り部                   10f  中間水平部
11  固定円板                    12  支持リング
13  エア−ブロ−用スイッチ      14  消毒エア−用スイッチ
15  消毒液タンク                16  排気用ファン
【図１】
0003726922.tif 000002
【図２】
0003726922.tif 000003
【図３】
0003726922.tif 000004
【図４】
0003726922.tif 000005
【図５】
0003726922.tif 000006
【図６】
0003726922.tif 000007
【図７】
0003726922.tif 000008
【図８】
0003726922.tif 000009
【図９】
0003726922.tif 000010